(57)【要約】【課題】本発明は、オブジェクト指向モデリングを利用して、処理速度が速く、かつ、正確で安定した定着温度制御を行う定着装置に関する。【解決手段】定着装置１は、定着ヒータにより加熱される定着ローラの温度を温度センサ４で検出し、ヒータコントローラ３で定着ヒータへの通電のオン／オフを制御して定着ローラを所定の目標温度に加熱して定着を行うが、クライアントから定着制御モードが変更されると、定着モード５と温度制御仕様６で、当該変更後の定着制御モードに対応する目標温度を内部生成し、ヒータコントローラ３で、温度センサ４の検出結果と当該目標温度とを比較して定着ヒータへの通電をオン／オフ制御して、定着ローラを目標温度に加熱する。【選択図】          図１
2006071895.tif 000002
【特許請求の範囲】
【請求項１】
加熱ヒータにより加熱される加熱部材の温度を温度検知手段で検出し、ヒータ制御手段が当該加熱ヒータへの通電のオン／オフを制御して当該加熱部材を所定の目標温度に加熱し、当該加熱部材で現像剤像の転写された転写材を加熱して当該現像剤像を当該転写材に定着させる定着装置において、複数の定着制御モードと当該各定着制御モードに対応する前記加熱部材の目標温度を管理するモード・温度管理手段を備え、外部から定着制御モードが変更されると、当該モード・温度管理手段が、当該変更後の定着制御モードに対応する目標温度を内部生成し、前記ヒータ制御手段が、前記温度検知手段の検出結果と当該目標温度とを比較して前記加熱ヒータへの通電をオン／オフ制御して、前記加熱部材を当該目標温度に加熱することを特徴とする定着装置。
【請求項２】
複数の加熱ヒータにより加熱される加熱部材の温度を温度検知手段で検出し、前記複数の加熱ヒータにそれぞれ対応する複数のヒータ制御手段が、当該対応する前記加熱ヒータへの通電のオン／オフを制御して前記加熱部材を所定の目標温度に加熱して、当該加熱部材で現像剤像の転写された転写材を加熱して当該現像剤像を当該転写材に定着させる定着装置であって、複数の定着制御モードと当該各定着制御モードに対応する前記加熱部材の目標温度を管理するモード・温度管理手段と、前記各ヒータ制御手段の前記加熱ヒータへの通電のオン／オフ動作を制御する動作管理手段と、を備え、外部から定着制御モードが変更されると、前記モード・温度管理手段が、当該変更後の定着制御モードに対応する目標温度を内部生成し、前記動作管理手段が、前記温度検知手段の検出結果と当該目標温度との比較結果に基づいて、前記各ヒータ制御手段を介して当該ヒータ制御手段の対応する前記加熱ヒータへの通電のオン／オフ動作を制御することを特徴とする定着装置。
【請求項３】
複数の加熱ヒータにより加熱される加熱部材の温度を複数の温度検知手段で検出し、前記複数の加熱ヒータにそれぞれ対応する複数のヒータ制御手段が、当該対応する前記加熱ヒータへの通電のオン／オフを制御して前記加熱部材を所定の目標温度に加熱して、当該加熱部材で現像剤像の転写された転写材を加熱して当該現像剤像を当該転写材に定着させる定着装置であって、複数の定着制御モードに対応する前記加熱部材の目標温度を当該各定着制御モード名で特定可能な属性を付加した状態で管理するとともに前記複数の温度検知手段の検知結果と当該目標温度に基づいて前記複数のヒータ制御手段をそれぞれ制御する複数の温度調整手段と、定着制御モード名を前記温度調整手段に伝達するモード管理手段と、を備え、外部から定着制御モードが変更されると、前記モード管理手段が当該変更後の定着制御モード名を前記複数の温度調整手段に伝達し、当該各温度調整手段が、当該変更後の定着制御モード名に基づいて前記目標温度を取得して、前記複数の温度検知手段の検出結果と当該目標温度との比較結果に基づいて、前記各ヒータ制御手段を介して当該ヒータ制御手段の対応する前記加熱ヒータへの通電のオン／オフ動作を制御することを特徴とする定着装置。
【発明の詳細な説明】
【技術分野】
【０００１】
本発明は、定着装置に関し、詳細には、オブジェクト指向モデリングを利用して、処理速度が速く、かつ、正確で安定した定着温度制御を行う定着装置に関する。
【背景技術】
【０００２】
電子写真方式の複写装置、ファクシミリ装置、プリンタ等の画像形成装置においては、転写紙に転写されたトナー画像を定着装置で転写紙に定着させる。この定着装置は、一般的に、定着ヒータで加熱される加熱ローラと、加熱ローラと圧接されて従動回転する加圧ローラと、を備え、トナー画像の転写された転写紙を加熱ローラと加圧ローラとの間に挟んで加熱しつつ搬送することで、トナー画像を転写紙に定着させる。
【０００３】
そして、近年、各分野において、オブジェクト指向モデリングを利用した機器の開発やオブジェクト指向を背景としたＵＭＬ（Unified Modeling Language）を利用した機器の開発が行われるようになってきている（特許文献１、特許文献２等参照）。
【０００４】
この定着装置は、従来、１本の定着ヒータによる定着温度を１つの温度センサで監視する場合、オブジェクト指向モデリングでは、そのクラス図が、図７のように示され、そのシーケンス図が、図８のように示される。
【０００５】
定着装置は、図７のクラス図及び図８のシーケンス図において、定着ユニット１００、ヒータコントローラ１０１及び温度センサ１０２のクラスで示され、クライアント（外部）２００から任意の定着制御モード要求が発行されると、図８のシーケンス図に示すように、定着ユニット１００のＳ１状態で、当該クライアント２００からの要求定着制御モードの解析を行って、クライアント２００から当該要求定着制御モードに適した目標温度を取得して、自分の属性に保存する。
【０００６】
次に、定着ユニット１００は、クライアント２００から取得した目標温度への温度制御要求をヒータコントローラ１０１に対して発行する。
【０００７】
温度制御要求を受け取ったヒータコントローラ１０１は、Ｓ３状態で、自分と関係している温度センサ１０２に対して温度検知開始を発行し、定期的に定着温度チェックを自分に発行して、定着ユニット１００の目標温度と温度センサ１０２の検知する現在温度とを比較する。
【０００８】
温度センサ１０２は、温度検知開始を受け取ると、Ｓ４状態で、定期的に現在温度を取得する。
【０００９】
ヒータコントローラ１０１は、定着ユニット１００の目標温度と温度センサ１０２の検知する現在温度との比較結果によりヒータＯＮ時間を決定して、ヒータコントローラクラスにヒータＯＮ要求を発行して、ヒータコントローラクラスは、定着ヒータを点灯してＯＮ時間経過後に定着ヒータを消灯する。
【００１０】
ヒータコントローラ１０１は、Ｓ３状態で、温度センサ１０２の検知する現在温度が定着ユニット１００の目標温度を超えると、定着ユニット１００に対して目標温度到達を発行し、定着ユニット１００は、目標温度到達を受け取ると、Ｓ２状態で、クライアント２００に対して目標温度到達通知を発行する。
【００１１】
【特許文献１】特開２００２−１１６９１１号公報
【特許文献２】特開２００２−２８７９７０号公報
【発明の開示】
【発明が解決しようとする課題】
【００１２】
しかしながら、上記従来技術にあっては、定着ユニット１００が、クライアント２００からの要求を全て受け付けて、定着制御モード要求を受け付ける度に、その定着制御モードで設定すべき目標温度をクライアント２００から取得した後に、ヒータコントローラ１０１に温度調節を要求して、ヒータコントローラ１０１が、温度センサ１０２の現在温度と定着ユニット１００からの目標温度を比較して、ヒータ制御時間を決定して定着温度を目標温度に保ち続ける動作を行っている。
【００１３】
したがって、従来技術にあっては、クライアント２００から定着制御モードの要求が発生する度に、目標温度をクライアント２００から取得する必要があり、必然的に外部であるクライアント２００との通信が多くなり、制御が複雑で、外部ノイズを受けやすく、安全かつ正確な制御を行うとともに、処理速度を向上させる上で、改良の必要があった。
【００１４】
そこで、請求項１記載の発明は、加熱ヒータにより加熱される加熱部材の温度を温度検知手段で検出し、ヒータ制御手段で当該加熱ヒータへの通電のオン／オフを制御して当該加熱部材を所定の目標温度に加熱し、当該加熱部材で現像剤像の転写された転写材を加熱して当該現像剤像を当該転写材に定着させるに際して、複数の定着制御モードと当該各定着制御モードに対応する加熱部材の目標温度を管理するモード・温度管理手段を設け、外部から定着制御モードが変更されると、当該モード・温度管理手段で、当該変更後の定着制御モードに対応する目標温度を内部生成し、ヒータ制御手段で、温度検知手段の検出結果と当該目標温度とを比較して加熱ヒータへの通電をオン／オフ制御して、加熱部材を当該目標温度に加熱することにより、要求される定着制御モードに対する目標温度を、外部と通信して取得することなく、また、大幅な構成の変更を伴うことなく、簡単に取得し、安全かつ正確な定着制御を行うとともに、処理速度を向上させることのできる定着装置を提供することを目的としている。
【００１５】
請求項２記載の発明は、複数の加熱ヒータにより加熱される加熱部材の温度を温度検知手段で検出し、複数の加熱ヒータにそれぞれ対応する複数のヒータ制御手段が、当該対応する加熱ヒータへの通電のオン／オフを制御して加熱部材を所定の目標温度に加熱して、当該加熱部材で現像剤像の転写された転写材を加熱して当該現像剤像を当該転写材に定着させるに際して、外部から定着制御モードが変更されると、複数の定着制御モードと当該各定着制御モードに対応する加熱部材の目標温度を管理するモード・温度管理手段が、当該変更後の定着制御モードに対応する目標温度を内部生成し、各ヒータ制御手段の加熱ヒータへの通電のオン／オフ動作を制御する動作管理手段が、温度検知手段の検出結果と当該目標温度との比較結果に基づいて、各ヒータ制御手段を介して当該ヒータ制御手段の対応する加熱ヒータへの通電のオン／オフ動作を制御することにより、要求される定着制御モードに対する目標温度を、外部と通信して取得することなく、また、大幅な構成の変更を伴うことなく、簡単に取得するとともに、複数の加熱ヒータで加熱部材を加熱する場合の各加熱ヒータのオン／オフ制御を、簡単な構成で行い、安全かつ正確な定着制御を安価に行うとともに、処理速度を向上させることのできる定着装置を提供することを目的としている。
【００１６】
請求項３記載の発明は、複数の加熱ヒータにより加熱される加熱部材の温度を複数の温度検知手段で検出し、複数の加熱ヒータにそれぞれ対応する複数のヒータ制御手段が、当該対応する加熱ヒータへの通電のオン／オフを制御して加熱部材を所定の目標温度に加熱して、当該加熱部材で現像剤像の転写された転写材を加熱して当該現像剤像を当該転写材に定着させるに際して、外部から定着制御モードが変更されると、モード管理手段が当該変更後の定着制御モード名を複数の温度調整手段に伝達し、複数の定着制御モードに対応する加熱部材の目標温度を当該各定着制御モード名で特定可能な属性を付加した状態で管理する各温度調整手段が、当該変更後の定着制御モード名に基づいて目標温度を取得して、複数の温度検知手段の検出結果と当該目標温度との比較結果に基づいて、各ヒータ制御手段を介して当該ヒータ制御手段の対応する加熱ヒータへの通電のオン／オフ動作を制御することにより、要求される定着制御モードに対する目標温度を、外部と通信して取得することなく、また、大幅な構成の変更を伴うことなく、簡単に取得するとともに、複数の温度検知手段の検出する加熱部材の現在温度に基づいて、当該加熱部材を加熱する複数の加熱ヒータをオン／オフ制御する場合の当該各加熱ヒータのオン／オフ制御を、簡単な構成で行い、安全かつ正確な定着制御を安価に行うとともに、処理速度を向上させることのできる定着装置を提供することを目的としている。
【課題を解決するための手段】
【００１７】
請求項１記載の発明の定着装置は、加熱ヒータにより加熱される加熱部材の温度を温度検知手段で検出し、ヒータ制御手段が当該加熱ヒータへの通電のオン／オフを制御して当該加熱部材を所定の目標温度に加熱し、当該加熱部材で現像剤像の転写された転写材を加熱して当該現像剤像を当該転写材に定着させる定着装置において、複数の定着制御モードと当該各定着制御モードに対応する前記加熱部材の目標温度を管理するモード・温度管理手段を備え、外部から定着制御モードが変更されると、当該モード・温度管理手段が、当該変更後の定着制御モードに対応する目標温度を内部生成し、前記ヒータ制御手段が、前記温度検知手段の検出結果と当該目標温度とを比較して前記加熱ヒータへの通電をオン／オフ制御して、前記加熱部材を当該目標温度に加熱することにより、上記目的を達成している。
【００１８】
請求項２記載の発明の定着装置は、複数の加熱ヒータにより加熱される加熱部材の温度を温度検知手段で検出し、前記複数の加熱ヒータにそれぞれ対応する複数のヒータ制御手段が、当該対応する前記加熱ヒータへの通電のオン／オフを制御して前記加熱部材を所定の目標温度に加熱して、当該加熱部材で現像剤像の転写された転写材を加熱して当該現像剤像を当該転写材に定着させる定着装置であって、複数の定着制御モードと当該各定着制御モードに対応する前記加熱部材の目標温度を管理するモード・温度管理手段と、前記各ヒータ制御手段の前記加熱ヒータへの通電のオン／オフ動作を制御する動作管理手段と、を備え、外部から定着制御モードが変更されると、前記モード・温度管理手段が、当該変更後の定着制御モードに対応する目標温度を内部生成し、前記動作管理手段が、前記温度検知手段の検出結果と当該目標温度との比較結果に基づいて、前記各ヒータ制御手段を介して当該ヒータ制御手段の対応する前記加熱ヒータへの通電のオン／オフ動作を制御することにより、上記目的を達成している。
【００１９】
請求項３記載の発明の定着装置は、複数の加熱ヒータにより加熱される加熱部材の温度を複数の温度検知手段で検出し、前記複数の加熱ヒータにそれぞれ対応する複数のヒータ制御手段が、当該対応する前記加熱ヒータへの通電のオン／オフを制御して前記加熱部材を所定の目標温度に加熱して、当該加熱部材で現像剤像の転写された転写材を加熱して当該現像剤像を当該転写材に定着させる定着装置であって、複数の定着制御モードに対応する前記加熱部材の目標温度を当該各定着制御モード名で特定可能な属性を付加した状態で管理するとともに前記複数の温度検知手段の検知結果と当該目標温度に基づいて前記複数のヒータ制御手段をそれぞれ制御する複数の温度調整手段と、定着制御モード名を前記温度調整手段に伝達するモード管理手段と、を備え、外部から定着制御モードが変更されると、前記モード管理手段が当該変更後の定着制御モード名を前記複数の温度調整手段に伝達し、当該各温度調整手段が、当該変更後の定着制御モード名に基づいて前記目標温度を取得して、前記複数の温度検知手段の検出結果と当該目標温度との比較結果に基づいて、前記各ヒータ制御手段を介して当該ヒータ制御手段の対応する前記加熱ヒータへの通電のオン／オフ動作を制御することにより、上記目的を達成している。
【発明の効果】
【００２０】
請求項１記載の発明の定着装置によれば、加熱ヒータにより加熱される加熱部材の温度を温度検知手段で検出し、ヒータ制御手段で当該加熱ヒータへの通電のオン／オフを制御して当該加熱部材を所定の目標温度に加熱し、当該加熱部材で現像剤像の転写された転写材を加熱して当該現像剤像を当該転写材に定着させるに際して、複数の定着制御モードと当該各定着制御モードに対応する加熱部材の目標温度を管理するモード・温度管理手段を設け、外部から定着制御モードが変更されると、当該モード・温度管理手段で、当該変更後の定着制御モードに対応する目標温度を内部生成し、ヒータ制御手段で、温度検知手段の検出結果と当該目標温度とを比較して加熱ヒータへの通電をオン／オフ制御して、加熱部材を当該目標温度に加熱するので、要求される定着制御モードに対する目標温度を、外部と通信して取得することなく、また、大幅な構成の変更を伴うことなく、簡単に取得することができ、安全かつ正確な定着制御を行うことができるとともに、処理速度を向上させることができる。
【００２１】
請求項２記載の発明の定着装置によれば、複数の加熱ヒータにより加熱される加熱部材の温度を温度検知手段で検出し、複数の加熱ヒータにそれぞれ対応する複数のヒータ制御手段が、当該対応する加熱ヒータへの通電のオン／オフを制御して加熱部材を所定の目標温度に加熱して、当該加熱部材で現像剤像の転写された転写材を加熱して当該現像剤像を当該転写材に定着させるに際して、外部から定着制御モードが変更されると、複数の定着制御モードと当該各定着制御モードに対応する加熱部材の目標温度を管理するモード・温度管理手段が、当該変更後の定着制御モードに対応する目標温度を内部生成し、各ヒータ制御手段の加熱ヒータへの通電のオン／オフ動作を制御する動作管理手段が、温度検知手段の検出結果と当該目標温度との比較結果に基づいて、各ヒータ制御手段を介して当該ヒータ制御手段の対応する加熱ヒータへの通電のオン／オフ動作を制御するので、要求される定着制御モードに対する目標温度を、外部と通信して取得することなく、また、大幅な構成の変更を伴うことなく、簡単に取得することができるとともに、複数の加熱ヒータで加熱部材を加熱する場合の各加熱ヒータのオン／オフ制御を、簡単な構成で行うことができ、安全かつ正確な定着制御を安価に行うことができるとともに、処理速度を向上させることができる。
【００２２】
請求項３記載の発明の定着装置によれば、複数の加熱ヒータにより加熱される加熱部材の温度を複数の温度検知手段で検出し、複数の加熱ヒータにそれぞれ対応する複数のヒータ制御手段が、当該対応する加熱ヒータへの通電のオン／オフを制御して加熱部材を所定の目標温度に加熱して、当該加熱部材で現像剤像の転写された転写材を加熱して当該現像剤像を当該転写材に定着させるに際して、外部から定着制御モードが変更されると、モード管理手段が当該変更後の定着制御モード名を複数の温度調整手段に伝達し、複数の定着制御モードに対応する加熱部材の目標温度を当該各定着制御モード名で特定可能な属性を付加した状態で管理する各温度調整手段が、当該変更後の定着制御モード名に基づいて目標温度を取得して、複数の温度検知手段の検出結果と当該目標温度との比較結果に基づいて、各ヒータ制御手段を介して当該ヒータ制御手段の対応する加熱ヒータへの通電のオン／オフ動作を制御するので、要求される定着制御モードに対する目標温度を、外部と通信して取得することなく、また、大幅な構成の変更を伴うことなく、簡単に取得することができるとともに、複数の温度検知手段の検出する加熱部材の現在温度に基づいて、当該加熱部材を加熱する複数の加熱ヒータをオン／オフ制御する場合の当該各加熱ヒータのオン／オフ制御を、簡単な構成で行うことができ、安全かつ正確な定着制御を安価に行うことができるとともに、処理速度を向上させることができる。
【発明を実施するための最良の形態】
【００２３】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２４】
図１及び図２は、本発明の定着装置の第１実施例を示す図であり、図１は、本発明の定着装置の第１実施例を適用した定着装置１のオブジェクト指向モデリングによるクラス図である。
【００２５】
図１において、定着装置１は、図１にそのオブジェクト指向モデリングによるクラス図を示すように、定着ユニット２、ヒータコントローラ（ヒータ制御手段）３及び温度センサ（温度検知手段）４で構成されており、定着ユニット２は、モード・温度管理手段として、定着モード５と温度制御仕様６を有している。この定着装置１は、１本の定着ヒータ（加熱ヒータ）で定着ローラ（加熱部材）を加熱して、当該定着ヒータにより加熱される定着ローラの温度を１つの温度センサ４で検出して、定着ローラを所定の目標温度に温度制御を行うものであり、当該目標温度に加熱された定着ローラと加圧ローラにより、当該定着ローラと加圧ローラの間に搬送されてくるトナー画像（現像剤像）の転写された転写紙（転写材）を加熱しつつ搬送して当該トナー画像を転写紙に定着させる。
【００２６】
定着ユニット２は、外部からの定着制御モード要求に応じてヒータコントローラ３に温度制御要求を行うが、定着モード５と温度制御仕様６を備えており、定着モード５は、外部から要求される定着制御モードの種類の数だけクラスインスタンスの情報としてモード情報を保持しており、また、温度制御仕様６は、定着モード５の各定着制御モードでの目標温度をクラスインスタンスの情報として有している。
【００２７】
定着ユニット２は、外部からの定着制御モード要求があると、当該要求のあった定着制御モードでの制御の目標温度を定着モード５を介して温度制御仕様６から取得して温度制御要求をヒータコントローラ３に行う。
【００２８】
温度センサ４は、定着ユニット２に設けられており、ヒータコントローラ３からの温度検知開始を受けて、定着ユニット２の温度、すなわち、定着ローラの現在温度を定期的に取得する。
【００２９】
ヒータコントローラ３は、定着ユニット２の目標温度と温度センサ４の検知する現在温度との比較結果によりヒータＯＮ時間を決定して、ヒータコントローラクラスにヒータＯＮ要求を発行し、ヒータコントローラクラスは、定着ヒータを点灯してＯＮ時間経過後に定着ヒータを消灯する。
【００３０】
次に、本実施例の作用を説明する。本実施例の定着装置１は、外部からの定着制御モード要求毎に、外部と通信して外部から目標温度を取得することなく、定着ユニット２を、要求された定着制御モードに応じた目標制御温度に制御する。
【００３１】
すなわち、定着装置１は、そのシーケンス図を図２に示すように、クライアント（外部）Ｃｔから任意の定着制御モード要求が発行されると、定着ユニット２のＳ１状態で、当該クライアントＣｔからの定着制御要求モードの解析を行い、保持している定着モード５に基づいて保持している温度制御仕様６から目標温度を取得して保存する。すなわち、定着ユニット２は、クライアントＣｔから要求された定着制御モードに対応する定着ローラの目標温度を、クライアントＣｔと通信して取得することなく、自己生成して取得して、保存する。
【００３２】
次に、定着ユニット２は、定着モード５を介して温度制御仕様６から取得した目標温度への温度制御要求をヒータコントローラ３に対して発行する。
【００３３】
温度制御要求を受け取ったヒータコントローラ３は、Ｓ３状態で、自分と関係している温度センサ４に対して温度検知開始を発行し、定期的に定着温度チェックを自分に発行して、定着ユニット２の目標温度（定着ローラの目標温度）と、温度センサ４の検知する現在温度とを比較する。
【００３４】
温度センサ４は、温度検知開始を受け取ると、Ｓ４状態で、定期的に現在温度を取得する。
【００３５】
ヒータコントローラ３は、定着ユニット２の目標温度と温度センサ４の検知する現在温度との比較結果に基づいてヒータＯＮ時間を決定し、ヒータコントローラクラスにヒータＯＮ要求を発行して、ヒータコントローラクラスが、定着ユニット２の定着ヒータを点灯してＯＮ時間経過後に定着ヒータを消灯する。
【００３６】
ヒータコントローラ３は、Ｓ３状態で、温度センサ４の検知する現在温度が定着ユニット２の目標温度を超えると、定着ユニット２に対して目標温度到達を発行し、定着ユニット２は、目標温度到達を受け取ると、Ｓ２状態で、クライアントＣｔに対して目標温度到達通知を発行する。
【００３７】
このように、本実施例の定着装置１は、定着ヒータ（加熱ヒータ）により加熱される加熱部材としての定着ローラの温度を温度検知手段としての温度センサ４で検出し、ヒータ制御手段としてのヒータコントローラ３で定着ヒータへの通電のオン／オフを制御して定着ローラを所定の目標温度に加熱し、当該定着ローラでトナー画像（現像剤像）の転写された転写紙（転写材）を加熱してトナー画像を転写紙に定着させるに際して、複数の定着制御モードと当該各定着制御モードに対応する定着ローラの目標温度を管理するモード・温度管理手段として定着モード５と温度制御仕様６を設け、外部であるクライアントＣｔから定着制御モードが変更されると、定着モード５と温度制御仕様６で、当該変更後の定着制御モードに対応する目標温度を内部生成し、ヒータコントローラ３で、温度センサ４の検出結果と当該目標温度とを比較して定着ヒータへの通電をオン／オフ制御して、定着ローラを当該目標温度に加熱している。
【００３８】
したがって、要求される定着制御モードに対する目標温度を、外部と通信して取得することなく、また、大幅な構成の変更を伴うことなく、簡単に取得することができ、安全かつ正確な定着制御を行うことができるとともに、処理速度を向上させることができる。
【実施例２】
【００３９】
図３及び図４は、本実施例の定着装置の第２実施例を示す図であり、図３は、本発明の定着装置の第２実施例を適用した定着装置１０のオブジェクト指向モデリングによるクラス図である。
【００４０】
定着装置１０は、定着ユニット１１、温度調節者（動作管理手段）１２、ヒータコントローラ（ヒータ制御手段）１３及び温度センサ（温度検知手段）１４で構成され、定着ユニット１１は、モード・温度管理手段として、定着モード１５と温度制御仕様１６を有している。
【００４１】
定着ユニット１１は、外部からの定着制御モード要求に応じて温度調節者１２に温度制御要求を行うが、定着モード１５と温度制御仕様１６を備えており、定着モード１５は、外部から要求される定着制御モードの種類の数だけクラスインスタンスの情報としてモード情報を保持しており、また、温度制御仕様１６は、定着モード１５の各定着制御モードでの目標温度をクラスインスタンスの情報として有している。定着ユニット１１は、定着ローラを加熱する定着ヒータを複数備えている。
【００４２】
定着ユニット１１は、外部からの定着制御モード要求があると、当該定着制御モードでの目標温度を定着モード１５を介して温度制御仕様１６から取得して温度制御要求を温度調節者１２に対して行う。
【００４３】
温度センサ１４は、定着ユニット１１に１つのみ設けられており、温度調節者１２からの温度検知開始を受けて、定着ユニット１１、すなわち、定着ローラの現在温度を定期的に取得する。
【００４４】
温度調節者１２は、定着ユニット１１の目標温度と温度センサ１４の検知する現在温度との比較結果によりヒータＯＮ時間を決定して、ヒータコントローラ１３にヒータＯＮ要求を発行する。
【００４５】
ヒータコントローラ１３は、定着ユニット１１の定着ヒータの数だけ設けられ、対応する定着ヒータを点灯して、ＯＮ時間経過後に定着ヒータを消灯する。
【００４６】
すなわち、定着装置１０は、上記第１実施例の定着装置１と比較して、温度調節者１２というコントロールクラスが追加されており、ヒータコントローラ１３と温度センサ１４と関係を張ることで、１つの温度センサ１４の検出結果に基づいて、複数の定着ヒータ、すなわち、複数のヒータコントローラ１３による定着温度の制御を行っている。
【００４７】
次に、本実施例の作用を説明する。本実施例の定着装置１０は、外部からの定着制御モード要求毎に外部と通信して外部から目標温度を取得することなく、複数の定着ヒータを備えた定着ユニット１１を、１つの温度センサ１４を用いて、要求された定着制御モードに応じた目標温度に制御する。
【００４８】
すなわち、定着装置１０は、そのシーケンス図を図４に示すように、クライアント（外部）Ｃｔから任意の定着制御モード要求が発行されると、定着ユニット１１のＳ１状態で、当該クライアントＣｔからの定着制御要求モードの解析を行い、保持している定着モード１５に基づいて保持している温度制御仕様１６から目標温度を取得して保存する。
【００４９】
次に、定着ユニット１１は、定着モード１５を介して温度制御仕様１６から取得した目標温度への温度制御要求を温度制御者１２に対して発行する。
【００５０】
温度制御要求を受け取った温度調節者１２は、Ｓ３状態で、自分と関係している温度センサ１４に対して温度検知開始を発行し、定期的に定着温度チェックを自分に発行して、定着ユニット１１の目標温度（定着ローラの目標温度）と、温度センサ１４の検知する現在温度とを比較する。
【００５１】
温度センサ１４は、温度検知開始を受け取ると、Ｓ４状態で、定期的に定着ローラ（定着ユニット１１）の現在温度を取得する。
【００５２】
温度調節者１２は、定着ユニット１１の目標温度と温度センサ１４の検知する現在温度との比較結果に基づいてヒータＯＮ時間を決定し、ヒータコントローラ１３にヒータＯＮ要求を発行して、ヒータコントローラ１３が、定着ユニット１１の定着ヒータを点灯してＯＮ時間経過後に定着ヒータを消灯する。
【００５３】
温度調節者１２は、Ｓ３状態で、温度センサ１４の検知する現在温度が定着ユニット１１の目標温度を超えると、定着ユニット１１に対して目標温度到達を発行し、定着ユニット１１は、目標温度到達を受け取ると、Ｓ２状態で、クライアントＣｔに対して目標温度到達通知を発行する。
【００５４】
このように、本実施例の定着装置１０は、複数の定着ヒータ（加熱ヒータ）により加熱される定着ローラ（加熱部材）の温度を温度検知手段としての温度センサ１４で検出し、複数の定着ヒータにそれぞれ対応する複数のヒータコントローラ（ヒータ制御手段）１３が、当該対応する定着ヒータへの通電のオン／オフを制御して定着ローラを所定の目標温度に加熱して、当該定着ローラでトナー画像（現像剤像）の転写された転写紙（転写材）を加熱してトナー画像を転写紙に定着させるに際して、外部であるクライアントＣｔから定着制御モードが変更されると、複数の定着制御モードと当該各定着制御モードに対応する定着ローラの目標温度を管理するモード・温度管理手段としての定着モード５と温度制御仕様６が、当該変更後の定着制御モードに対応する目標温度を内部生成し、各ヒータコントローラ１３の定着ヒータへの通電のオン／オフ動作を制御する温度調節者（動作管理手段）１２が、温度センサ１４の検出結果と当該目標温度との比較結果に基づいて、各ヒータコントローラ１３を介して当該ヒータコントローラ１３の対応する定着ヒータへの通電のオン／オフ動作を制御している。
【００５５】
したがって、要求される定着制御モードに対する目標温度を、外部であるクライアントＣｔと通信して取得することなく、また、大幅な構成の変更を伴うことなく、簡単に取得することができるとともに、複数の定着ヒータで定着ローラを加熱する場合の各定着ヒータのオン／オフ制御を、簡単な構成で行うことができ、安全かつ正確な定着制御を安価に行うことができるとともに、処理速度を向上させることができる。
【実施例３】
【００５６】
図５及び図６は、本実施例の定着装置の第３実施例を示す図であり、図３は、本発明の定着装置の第３実施例を適用した定着制御装置２０のオブジェクト指向モデリングによるクラス図である。
【００５７】
定着制御装置２０は、定着ユニット２１、モード管理者（モード管理手段）２２、温度調節者（温度調整手段）２３、ヒータコントローラ（ヒータ制御手段）２４及び温度センサ（温度検知手段）２５で構成され、温度調節者２３は、温度制御仕様２６を有している。
【００５８】
定着ユニット２１は、外部からの定着制御モード要求に応じてモード管理者２２にモード変更要求を行い、モード管理者２２は、要求された定着制御モードを管理して、温度制御仕様２６に要求された定着制御モード名で特定できる属性を追加して、温度調節者２３に温度制御要求を行う。定着ユニット２１は、定着ローラを加熱する定着ヒータを複数備えている。
【００５９】
ヒータコントローラ２４は、定着ユニット２１の定着ヒータの数だけ設けられ、温度調節者２３からのヒータＯＮ要求に応じて、対応する定着ヒータを点灯して、ＯＮ時間経過後に定着ヒータを消灯する。
【００６０】
温度調節者２３は、複数のヒータコントローラ２４に対応する数だけあり、モード管理者２２からの各定着制御モードでの目標温度のクラスインスタンスの情報として、温度制御仕様２６を有していて、モード管理者２２からの定着制御モードでの制御目標温度を温度制御仕様２６から取得する。温度調節者２３は、モード管理者２２から温度制御要求があると、温度センサ２５に現在温度の検知の開始を発行して、定着ユニット２１の目標温度と温度センサ２５の検知する現在温度との比較結果によりヒータＯＮ時間を決定して、対応するヒータコントローラ２４にヒータＯＮ要求を発行する。
【００６１】
温度制御仕様２６は、複数の定着制御モードに対応する目標温度を当該各定着モード名で特定可能な属性を付加したクラスインスタンスの情報として有している。
【００６２】
次に、本実施例の作用を説明する。本実施例の定着制御装置２０は、外部からの定着制御モード要求毎に外部と通信して外部から目標温度を取得することなく、複数の定着ヒータを備えた定着ユニット２１を、１つの温度センサ２５を用いて、要求された定着制御モードに応じた目標制御温度に制御する。
【００６３】
すなわち、定着制御装置２０は、そのシーケンス図を図６に示すように、クライアント（外部）Ｃｔから任意の定着制御モード要求が発行されると、定着ユニット２１のＳ１状態で、モード管理者２２にモ−ド変更要求を行い、モード管理者２２が、Ｓ３状態で、モード変更要求、すなわち、クライアントＣｔからの定着制御要求モードの管理・解析を行い、温度制御仕様２６に要求された定着制御モード名で特定できる属性を追加して、温度調節者２３に温度制御要求を行う。
【００６４】
温度調節者２３は、温度制御要求があると、Ｓ５状態で、当該温度制御要求に追加されている定着制御モード名で特定できる属性に基づいて温度制御仕様２６から目標温度を取得して保存するとともに、自分と関係している温度センサ２５に対して温度検知開始を発行し、定期的に定着温度チェックを自分に発行して、上記取得した定着ユニット２１の目標温度（定着ローラの目標温度）と、温度センサ２５の検知する現在温度とを比較する。
【００６５】
温度センサ２５は、温度検知開始を受け取ると、Ｓ７状態で、定期的に定着ローラ（定着ユニット２１）の現在温度を取得する。
【００６６】
温度調節者２３は、定着ユニット２１の目標温度と温度センサ２５の検知する現在温度との比較結果に基づいてヒータＯＮ時間を決定し、ヒータコントローラ２４にヒータＯＮ要求を発行して、ヒータコントローラ２４が、Ｓ６状態で、定着ユニット２１の定着ヒータを点灯してＯＮ時間経過後に定着ヒータを消灯する。
【００６７】
温度調節者２３は、Ｓ５状態で、温度センサ２５の検知する現在温度が定着ユニット２１の目標温度を超えると、モード管理者２２に対して目標温度到達を発行し、モード管理者２２は、目標温度到達を受け取ると、Ｓ４状態で、定着ユニット２１に対して目標温度到達を発行する。
【００６８】
定着ユニット２１は、目標温度到達を受け取ると、Ｓ２状態で、クライアントＣｔに対して目標温度到達通知を発行する。
【００６９】
このように、本実施例の定着制御装置２０は、複数の定着ヒータ（加熱ヒータ）により加熱される定着ローラ（加熱部材）の温度を複数の温度センサ（温度検知手段）２５で検出し、複数の定着ヒータにそれぞれ対応する複数のヒータコントローラ２４が、当該対応する定着ヒータへの通電のオン／オフを制御して定着ローラを所定の目標温度に加熱して、当該定着ローラでトナー画像（現像剤像）の転写された転写紙（転写材）を加熱してトナー画像を転写紙に定着させるに際して、外部であるクライアントＣｔから定着制御モードが変更されると、モード管理者２２が当該変更後の定着制御モード名を複数の温度調節者（温度調整手段）２３に伝達し、複数の定着制御モードに対応する定着ローラの目標温度を当該各定着制御モード名で特定可能な属性を付加した状態で管理する各温度調節者２３が、当該変更後の定着制御モード名に基づいて目標温度を取得して、複数の温度センサ２５の検出結果と当該目標温度との比較結果に基づいて、各ヒータコントローラ２４を介して当該ヒータコントローラ２４の対応する定着ヒータへの通電のオン／オフ動作を制御している。
【００７０】
したがって、要求される定着制御モードに対する目標温度を、外部と通信して取得することなく、また、大幅な構成の変更を伴うことなく、簡単に取得することができるとともに、
複数の温度センサの検出する定着ローラの現在温度に基づいて、当該定着ローラを加熱する複数の定着ヒータをオン／オフ制御する場合の当該各定着ヒータのオン／オフ制御を、簡単な構成で行うことができ、安全かつ正確な定着制御を安価に行うことができるとともに、処理速度を向上させることができる。
【００７１】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００７２】
外部ノイズの影響を抑制しつつ、安全かつ正確な制御を行うとともに、処理速度の良好な定着制御を行う定着装置に適用することができる。
【図面の簡単な説明】
【００７３】
【図１】本発明の定着装置の第１実施例を適用した定着装置のオブジェクト指向モデリングによるクラス図。
【図２】図１の定着装置によるシーケンス図である。
【図３】本発明の定着装置の第２実施例を適用した定着装置のオブジェクト指向モデリングによるクラス図。
【図４】図３の定着装置によるシーケンス図である。
【図５】本発明の定着装置の第３実施例を適用した定着装置のオブジェクト指向モデリングによるクラス図。
【図６】図５の定着装置によるシーケンス図である。
【図７】従来の定着装置のオブジェクト指向モデリングによるクラス図。
【図８】図７の定着装置によるシーケンス図である。
【符号の説明】
【００７４】
１  定着装置
２  定着ユニット
３  ヒータコントローラ
４  温度センサ
５  定着モード
６  温度制御仕様
Ｃｔ  クライアント
１０  定着装置
１１  定着ユニット
１２  温度調節者
１３  ヒータコントローラ
１４  温度センサ
１５  定着モード
１６  温度制御仕様
２０  定着制御装置
２１  定着ユニット
２２  モード管理者
２３  温度調節者
２４  ヒータコントローラ
２５  温度センサ
２６  温度制御仕様
【図１】
2006071895.tif 000003
【図２】
2006071895.tif 000004
【図３】
2006071895.tif 000005
【図４】
2006071895.tif 000006
【図５】
2006071895.tif 000007
【図６】
2006071895.tif 000008
【図７】
2006071895.tif 000009
【図８】
2006071895.tif 000010